(57)【要約】【課題】すき間風防止具は板状で戸枠側に添着するよう構成されており、すき間風防止作用はあるが、防音効果を期待できない、値段が高いなどの問題があった。【解決手段】防音すき間防止具体１Ａと接着剤層から構成され、防音すき間防止具体１Ａは、弾力性を有する軟質ゴムなどを素材とする打出し面対応部１Ａ１と端部縦長面対応部１Ａ２から構成され、打出し面対応部と端部縦長面対応部は縦長帯状体に構成され、これらは横断面が直角になる状態で連結され、戸２における端部縦長面と打出し面部に張り付けるよう構成されている。【選択図】        図８
2004353300.tif 000002
【特許請求の範囲】
【請求項１】
防音すき間防止具体（１Ａ）と接着剤層（１Ｂ）から構成され、
防音すき間防止具体（１Ａ）は、弾力性を有する軟質ゴムなどを素材とする
打出し面対応部（１Ａ１）と端部縦長面対応部（１Ａ２）から構成され、
打出し面対応部（１Ａ１）は縦長帯状体（１Ａ１１）で構成され、
端部縦長面対応部（１Ａ２）は縦長帯状体（１Ａ２１）で構成され、打出し面対応部と端部縦長面対応部は、横断面が直角になる状態で連結され、
直角に連結された打出し面対応部（１Ａ１）と端部縦長面対応部（１Ａ２）の外周面（１Ａ３）における接合部面（１Ａ３１）は湾曲面（Ｒ）に構成され、打出し面対応部面（１Ａ３２）は全体が緩やかな湾曲面（Ｒ１）に構成され、端部縦長面対応部面（１Ａ３３）は全体が緩やかな湾曲面（Ｒ２）に構成され、
接着剤層（１Ｂ）は、直角に連結された打出し面対応部と端部縦長面対応部の内周面（１Ａ４）の全面に塗布されていることを特徴とする戸における防音すき間防止具。
【請求項２】
防音すき間防止具体（１Ａ）と接着剤層（１Ｂ）と剥離紙（１Ｃ）から構成され、
防音すき間防止具体（１Ａ）は、弾力性を有する軟質ゴムなどを素材とする打出し面対応部（１Ａ１）と端部縦長面対応部（１Ａ２）から構成され、        打出し面対応部（１Ａ１）は、戸（２）における左の打出し面部（２Ｃ）及び右の打出し面部（２Ｄ）の外側面に当接する縦長帯状体（１Ａ１１）で構成され、
端部縦長面対応部（１Ａ２）は、戸（２）の表裏面における左方端部縦長面（２Ａ１、２Ｂ１）及び右方端部縦長面（２Ａ２、２Ｂ２）の外側面に当接する縦長帯状体（１Ａ２１）で構成され、
打出し面対応部（１Ａ１）における一方縦辺に端部縦長面対応部（１Ａ２）の一方縦辺が横断面が直角になる状態で連結され、
直角に連結された打出し面対応部（１Ａ１）と端部縦長面対応部（１Ａ２）の外周面（１Ａ３）において、当該外周面（１Ａ３）における打出し面対応部（１Ａ１）と端部縦長面対応部（１Ａ２）の接合部面（１Ａ３１）は湾曲面（Ｒ）に構成され、外周面（１Ａ３）における打出し面対応部面（１Ａ３２）は全体が緩やかな湾曲面（Ｒ１）に構成され、外周面（１Ａ３）における端部縦長面対応部面（１Ａ３３）は全体が緩やかな湾曲面（Ｒ２）に構成され、
接着剤層（１Ｂ）は、直角に連結された打出し面対応部（１Ａ１）と端部縦長面対応部（１Ａ２）の内周面（１Ａ４）の全面に塗布され、
剥離紙（１Ｃ）は、接着剤層（１Ｂ）の全面に張設されていることを特徴とする戸における防音すき間防止具。
【請求項３】
打出し面対応部（１Ａ１）の長さ（Ｌ１）は４２ｍｍ程度、端部縦長面対応部（１Ａ２）の長さ（Ｌ２）は１５ｍｍ程度、打出し面対応部（１Ａ１）の中心部厚さ（Ｔ１）は６ｍｍ程度、端部縦長面対応部（１Ａ２）の中心部厚さ（Ｔ２）は６ｍｍ程度である請求項１あるいは請求項２記載の戸における防音すき間防止具。
【発明の詳細な説明】
【０００１】
【発明の属する技術分野】
本発明は、新規な構成を有する戸における防音すき間防止具に関するものである。
【０００２】
【従来の技術】
従来、この種のものにあっては、下記のようなものになっている。
通称ピンチブロックと云われるすき間風防止具が使用されている。
このすき間風防止具は板状に構成され、戸枠側に添着するよう構成されている。
【０００３】
【発明が解決しようとする課題】
従来の技術で述べたものにあっては、下記のような問題点を有していた。
１．不確実なすき間風防止作用はあるが、防音効果を期待できない。
２．値段が高い。
【０００４】
本発明は、従来の技術の有するこのような問題点に鑑みなされたものであり、その目的とするところは、上述の問題を解決できるものを提供しようとするものである。
【０００５】
【課題を解決するための手段】
上記目的を達成するために、本発明のものは下記のようになるものである。
すなわち、請求項１記載の発明は、防音すき間防止具体１Ａと接着剤層１Ｂから構成され、
Ａ．防音すき間防止具体１Ａは、弾力性を有する軟質ゴムなどを素材とする打出し面対応部１Ａ１と端部縦長面対応部１Ａ２から構成され、
打出し面対応部１Ａ１は縦長帯状体１Ａ１１で構成され、
端部縦長面対応部１Ａ２は縦長帯状体１Ａ２１で構成され、
打出し面対応部と端部縦長面対応部は、横断面が直角になる状態で連結され、直角に連結された打出し面対応部１Ａ１と端部縦長面対応部１Ａ２の外周面１Ａ３における接合部面１Ａ３１は湾曲面Ｒに構成され、打出し面対応部面１Ａ３２は全体が緩やかな湾曲面Ｒ１に構成され、端部縦長面対応部面１Ａ３３は全体が緩やかな湾曲面Ｒ２に構成され、
Ｂ．接着剤層１Ｂは、直角に連結された打出し面対応部と端部縦長面対応部の内周面１Ａ４の全面に塗布されていることを特徴とするものである。
【０００６】
請求項２記載の発明は、防音すき間防止具体１Ａと接着剤層１Ｂと剥離紙１Ｃから構成され、
Ａ．防音すき間防止具体１Ａは、弾力性を有する軟質ゴムなどを素材とする打出し面対応部１Ａ１と端部縦長面対応部１Ａ２から構成され、
打出し面対応部１Ａ１は、戸２における左の打出し面部２Ｃ及び右の打出し面部２Ｄの外側面に当接する縦長帯状体１Ａ１１で構成され、
端部縦長面対応部１Ａ２は、戸２の表裏面における左方端部縦長面２Ａ１、２Ｂ１及び右方端部縦長面２Ａ２、２Ｂ２の外側面に当接する縦長帯状体１Ａ２１で構成され、
打出し面対応部１Ａ１における一方縦辺に端部縦長面対応部１Ａ２の一方縦辺が横断面が直角になる状態で連結され、
直角に連結された打出し面対応部１Ａ１と端部縦長面対応部１Ａ２の外周面１Ａ３において、当該外周面１Ａ３における打出し面対応部１Ａ１と端部縦長面対応部１Ａ２の接合部分における接合部面１Ａ３１は湾曲面Ｒに構成され、外周面１Ａ３における打出し面対応部面１Ａ３２は全体が緩やかな湾曲面Ｒ１に構成され、外周面１Ａ３における端部縦長面対応部面１Ａ３３は全体が緩やかな湾曲面Ｒ２に構成され、
Ｂ．接着剤層１Ｂは、直角に連結された打出し面対応部１Ａ１と端部縦長面対応部１Ａ２の内周面１Ａ４の全面に塗布され、
Ｃ．剥離紙１Ｃは、接着剤層１Ｂの全面に張設されていることを特徴とするものである。
【０００７】
請求項３記載の発明は、請求項１あるいは請求項２記載の発明において、打出し面対応部１Ａ１の長さＬ１は４２ｍｍ程度、端部縦長面対応部１Ａ２の長さＬ２は１５ｍｍ程度、打出し面対応部１Ａ１の中心部厚さＴ１は６ｍｍ程度、端部縦長面対応部１Ａ２の中心部厚さＴ２は６ｍｍ程度であることを特徴とするものである。
【０００８】
【発明の実施の形態】
実施の形態について図面を参照して説明する。
１は本発明の戸における防音すき間防止具である。
２は本発明の戸における防音すき間防止具１を装着する公知の戸で、２Ａは表面、２Ｂは裏面、２Ｃは左の打出し面部、２Ｄは右の打出し面部、２Ａ１、２Ａ２は表面における左右の端部縦長面、２Ｂ１、２Ｂ２は裏面における左右の端部縦長面である。
３は戸２が開閉自在に取付けられる公知の戸枠である。
【０００９】
そこで、戸における防音すき間防止具１の詳細を説明する。
防音すき間防止具体１Ａと接着剤層１Ｂと剥離紙１Ｃから構成されている。
Ａ．防音すき間防止具体１Ａは、弾力性を有する軟質ゴムなどを素材とする打出し面対応部１Ａ１と端部縦長面対応部１Ａ２から構成されている。
ａ．打出し面対応部１Ａ１は、戸２における左の打出し面部２Ｃ及び右の打出し面部２Ｄの外側面に当接する縦長帯状体１Ａ１１で構成されている。
ｂ．端部縦長面対応部１Ａ２は、戸２の表裏面における左方端部縦長面２Ａ１、２Ｂ１及び右方端部縦長面２Ａ２、２Ｂ２の外側面に当接する縦長帯状体１Ａ２１で構成されている。
ｃ．打出し面対応部１Ａ１における一方縦辺に端部縦長面対応部１Ａ２の一方縦辺が横断面が直角になる状態で連結されている。
ｄ．直角に連結された打出し面対応部１Ａ１と端部縦長面対応部１Ａ２の外周面１Ａ３において、当該外周面１Ａ３における打出し面対応部１Ａ１と端部縦長面対応部１Ａ２の接合部分における接合部面１Ａ３１は湾曲面Ｒに構成され、外周面１Ａ３における打出し面対応部面１Ａ３２は全体が緩やかな湾曲面Ｒ１に構成され、外周面１Ａ３における端部縦長面対応部面１Ａ３３は全体が緩やかな湾曲面Ｒ２に構成されている。
Ｂ．接着剤層１Ｂは、直角に連結された打出し面対応部１Ａ１と端部縦長面対応部１Ａ２の内周面１Ａ４の全面に塗布されている。
Ｃ．剥離紙１Ｃは、接着剤層１Ｂの全面に張設されている。
【００１０】
使用方法は下記の通りである。
戸における防音すき間防止具１の剥離紙をはがして、例えば、戸２における左方端部縦長面２Ａ１と左の打出し面部２Ｃあるいは右方端部縦長面２Ｂ２と右の打出し面部２Ｄに張り付ける。
【００１１】
【実施例】
以下のような条件で実験した結果、極めて良好な結果が得られた。
寸法的には下記のように構成されている。
１．打出し面対応部１Ａ１の長さＬ１〜４２ｍｍ。
２．端部縦長面対応部１Ａ２の長さＬ２〜１５ｍｍ。
３．打出し面対応部１Ａ１の中心部厚さＴ１〜６ｍｍ。
４．端部縦長面対応部１Ａ２の中心部厚さＴ２〜６ｍｍ。
【００１２】
【発明の効果】
本発明は、上述の通り構成されているので次に記載する効果を奏する。
１．すき間風を防止すると共に、防音効果を発揮することができる。
図１０、図１４の如く、防音すき間防止具体１Ａを、戸２における左方端部縦長面、左の打出し面部と右方端部縦長面、右の打出し面部の双方あるいは片方に張り付けることができるから、戸を閉めた場合、当該戸と戸枠との隙間を確実に密閉してすき間風を防止すると共に、防音効果を発揮することができる。
２．防音すき間防止具体１Ａにおける軟質ゴムなどを素材とする直角に連結された打出し面対応部１Ａ１と端部縦長面対応部１Ａ２の外周面１Ａ３において、当該外周面１Ａ３における打出し面対応部１Ａ１と端部縦長面対応部１Ａ２の接合部面１Ａ３１が湾曲面Ｒに構成され、外周面１Ａ３における打出し面対応部面１Ａ３２が全体が緩やかな湾曲面Ｒ１に構成され、外周面１Ａ３における端部縦長面対応部面１Ａ３３が全体が緩やかな湾曲面Ｒ２に構成されているので、戸２の開閉を円滑に行うことができる。
３．このほか、安価に製造できる、部品点数が少ないので組立が容易である、経済的である、などの効果をも有するものである。
【図面の簡単な説明】
【図１】斜視図である。
【図２】Ａ−Ａ線拡大断面図である。
【図３】防音すき間防止具体を説明する横断面図である。
【図４】防音すき間防止具体を説明する横断面図である。
【図５】戸の略図的斜視図である。
【図６】同上の拡大平面図である。
【図７】引戸に対する取付け状態を説明する全体の正面図である。
【図８】Ｂ−Ｂ線拡大断面図である。
【図９】引き戸に対する取付け状態を説明する斜視図である。
【図１０】同上の拡大平面図である。
【図１１】開き戸に対する取付け状態を説明する全体の正面図である。
【図１２】Ｃ−Ｃ線拡大断面図である。
【図１３】開き戸に対する取付け状態を説明する斜視図である。
【図１４】同上の平面図である。
【符号の説明】
１  戸における防音すき間防止具
２  戸
１Ａ  防音すき間防止具体
１Ａ１  打出し面対応部
１Ａ２  端部縦長面対応部
１Ｂ  接着剤層
１Ｃ  剥離紙
【図１】
2004353300.tif 000003
【図２】
2004353300.tif 000004
【図３】
2004353300.tif 000005
【図４】
2004353300.tif 000006
【図５】
2004353300.tif 000007
【図６】
2004353300.tif 000008
【図７】
2004353300.tif 000009
【図８】
2004353300.tif 000010
【図９】
2004353300.tif 000011
【図１０】
2004353300.tif 000012
【図１１】
2004353300.tif 000013
【図１２】
2004353300.tif 000014
【図１３】
2004353300.tif 000015
【図１４】
2004353300.tif 000016